(57)【要約】【課題】出品管理を容易にすること。【解決手段】出品管理装置２は、記憶部２１と、処理部２２とを有する。記憶部２１は、ネットワーク上のショッピングモール上の出店用ウェブサイトに出品する商品に関する商品情報と、商品の在庫数または卸売価格の少なくとも一方を含む卸元情報とが関連づけられた出品情報と、既に出店用ウェブサイトにアップロードされている出品情報に、出品情報がアップロードされたアップロード時刻を関連づけた登録情報とを記憶する。処理部２２は、所定時間毎に記憶部２１の登録情報を参照し、出店用ウェブサイトにアップロードされている出品情報のうち、在庫数または卸売価格のいずれかが更新された登録情報を抽出し、抽出した登録情報により特定される出品情報の卸元情報を出店用ウェブサイトにアップロードする。【選択図】図３
2016212594.tif 000002
【特許請求の範囲】
【請求項１】
ネットワーク上のショッピングモール上の出店用ウェブサイトに出品する商品に関する商品情報と、前記商品の在庫数または卸売価格の少なくとも一方を含む卸元情報とが関連づけられた出品情報と、既に前記出店用ウェブサイトにアップロードされている前記出品情報に、前記出品情報がアップロードされたアップロード時刻を関連づけた登録情報とを記憶する記憶部と、
所定時間毎に前記記憶部の登録情報を参照し、出店用ウェブサイトにアップロードされている前記出品情報のうち、前記在庫数または卸売価格のいずれかが更新された登録情報を抽出し、抽出した登録情報により特定される出品情報の卸元情報を前記出店用ウェブサイトにアップロードする処理部と、
を有することを特徴とする出品管理装置。
【請求項２】
前記登録情報には、出店用ウェブサイトに出品する商品の粗利率が含まれ、
前記処理部は、前記所定時間毎に、粗利率が更新された登録情報を抽出し、抽出した出品情報の卸元情報をアップロードする請求項１に記載の出品管理装置。
【請求項３】
前記登録情報は、前記出店用ウェブサイトを識別する店舗識別情報をさらに含み、
前記記憶部は、前記ショッピングモールサイトを識別するモール識別情報と、前記ショッピングモールサイトに出店している出店用ウェブサイトの店舗識別情報を関連づけて記憶し、
前記処理部は、前記卸元情報が更新された登録情報を抽出したときに、前記記憶部を参照し、抽出した出品情報の卸元情報を、当該商品を掲載している全てのショッピングモールサイトの前記出店用ウェブサイトにアップロードする請求項１または２に記載の出品管理装置。
【請求項４】
コンピュータが、
ネットワーク上のショッピングモール上の出店用ウェブサイトに出品する商品に関する商品情報と、前記商品の在庫数または卸売価格の少なくとも一方を含む卸元情報とが関連づけられた出品情報と、既に前記出店用ウェブサイトにアップロードされている前記出品情報に、前記出品情報がアップロードされたアップロード時刻を関連づけた登録情報とを記憶する記憶部の登録情報を、所定時間毎に参照し、出店用ウェブサイトにアップロードされている前記出品情報のうち、前記在庫数または卸売価格のいずれかが更新された登録情報を抽出し、
抽出した登録情報により特定される出品情報の卸元情報を前記出店用ウェブサイトにアップロードする、
ことを特徴とする商品管理方法。
【請求項５】
コンピュータに、
ネットワーク上のショッピングモール上の出店用ウェブサイトに出品する商品に関する商品情報と、前記商品の在庫数または卸売価格の少なくとも一方を含む卸元情報とが関連づけられた出品情報と、既に前記出店用ウェブサイトにアップロードされている前記出品情報に、前記出品情報がアップロードされたアップロード時刻を関連づけた登録情報とを記憶する記憶部の登録情報を、所定時間毎に参照し、出店用ウェブサイトにアップロードされている前記出品情報のうち、前記在庫数または卸売価格のいずれかが更新された登録情報を抽出し、
抽出した登録情報により特定される出品情報の卸元情報を前記出店用ウェブサイトにアップロードする、
処理を実行させることを特徴とするプログラム。
【発明の詳細な説明】
【技術分野】
【０００１】
本発明は出品管理装置、商品管理方法およびプログラムに関する。
【背景技術】
【０００２】
インターネット上で複数の商店のページ（電子商店）を１つのサイトにまとめて、様々な品物を販売するウェブサイト（オンラインショッピングモール）が知られている。
【０００３】
例えば、ショッピングモールと呼ばれるショッピングサイト群があり、ここではその管理会社がＷｅｂサーバやデータベースサーバを用意して、ショッピングサイトの仕組みを提供している。そのため、ショッピングサイトは、このような仕組みを利用するだけではなく、自身で開設することもできる。個人や中小の商店を経営する小売業者でも、所定のホームページを作成するだけで、簡単にショッピングサイトを開設できるようになっている。
【０００４】
ショップの管理者は、ショッピングサイトのデータベースに保存された情報をもとに注文を受けてから発送完了までをショッピングサイトのプログラムを通して情報を更新しながら、並行して実際の処理をしていく。
【先行技術文献】
【非特許文献】
【０００５】
【非特許文献１】"国民のための情報セキュリティサイト"、総務省、［online］、2013年、［平成27年3月30日検索］、インターネット〈URL:http://www.soumu.go.jp/main_sosiki/joho_tsusin/security/basic/service/10.html〉
【発明の概要】
【発明が解決しようとする課題】
【０００６】
卸売り元（バイヤー：ｂｕｙｅｒ）とネットショップとを結ぶＢｔｏＢサービスでは、個人や中小の商店を経営する小売業者が商品毎に取引申請や、商品掲載用のデータ（（例えばＣＳＶファイルやＡＰＩファイル等））を加工している。
しかしながら、データの加工に非常に手間が掛かるという問題がある。また、小売業者側で在庫を管理すると、在庫の更新に手間がかかるという問題がある。
１つの側面では、本発明は、出品管理を容易にすることを目的とする。
【課題を解決するための手段】
【０００７】
上記目的を達成するために、開示の出品管理装置が提供される。この出品管理装置は、記憶部と、処理部とを有する。
【０００８】
記憶部は、ネットワーク上のショッピングモール上の出店用ウェブサイトに出品する商品に関する商品情報と、商品の在庫数または卸売価格の少なくとも一方を含む卸元情報とが関連づけられた出品情報と、既に出店用ウェブサイトにアップロードされている出品情報に、出品情報がアップロードされたアップロード時刻を関連づけた登録情報とを記憶する。
【０００９】
処理部は、所定時間毎に記憶部の登録情報を参照し、出店用ウェブサイトにアップロードされている出品情報のうち、在庫数または卸売価格のいずれかが更新された登録情報を抽出し、抽出した登録情報により特定される出品情報の卸元情報を出店用ウェブサイトにアップロードする。
【発明の効果】
【００１０】
１態様では、出品管理を容易にすることができる。
【図面の簡単な説明】
【００１１】
【図１】実施の形態の出品管理システムを示す図である。
【図２】実施の形態の出品管理装置のハードウェア構成を示す図である。
【図３】実施の形態の出品管理装置の機能を示すブロック図である。
【図４】出品情報テーブルを説明する図である。
【図５】出品店舗マスターを説明する図である。
【図６】登録画面を説明する図である。
【図７】登録情報テーブルを説明する図である。
【図８】粗利率履歴テーブルを説明する図である。
【図９】処理部の処理を説明するフローチャートである。
【図１０】データ更新時の処理を説明するフローチャートである。
【発明を実施するための形態】
【００１２】
以下、実施の形態の出品管理システムを、図面を参照して詳細に説明する。
＜実施の形態＞
図１は、実施の形態の出品管理システムを示す図である。
【００１３】
出品管理システム１を利用する利用者としては、例えば、ショッピングモール出店企業や、ネットショップの開業支援サービスを使用してショッピングサイトを運営している企業や個人等が挙げられる。
【００１４】
実施の形態の出品管理システム１は、出品管理装置（コンピュータ）２と、小売業者端末装置３と、ショッピングモールサーバ４ａ、４ｂと、商品供給元端末装置５とを有している。
出品管理装置２は、ネットワークを介して小売業者端末装置３、ショッピングモールサーバ４ａ、４ｂ、商品供給元端末装置５に接続されている。
【００１５】
商品供給元端末装置５は、商品を供給する卸売り元（バイヤー：ｂｕｙｅｒ）が操作する端末装置である。バイヤーは、商品供給元端末装置５を操作することにより、商品に関する情報（出品情報）を作成し、出品管理装置２に送信する。この出品情報には、例えば商品名や卸売価格、在庫数、ショッピングモールサーバ４ａ、４ｂにアップロードする商品登録用のＣＳＶファイル（卸元情報）等が含まれる。なお、出品情報の詳細は後述する。なお、アップロードするファイルの形式は、ＡＰＩ（Application Programming Interface）等、他のファイル形式でもよい。
出品管理装置２は、商品供給元端末装置５が作成した出品情報を格納する。
【００１６】
小売業者端末装置３は、ネットワーク上のショッピングモール上の出店用ウェブサイト（以下、「自社サイト」と言う）を運営する小売業者が操作する端末装置である。
【００１７】
小売業者端末装置３は、出品管理装置２にアクセスすることにより、バイヤーが作成し、送信した出品情報を閲覧し、自社サイトに掲載する商品を決定する。小売業者は、この決定の際に商品を画面上から指定するだけで、指定した商品のＣＳＶファイルを自社サイトにアップロードすることができる。
【００１８】
ショッピングモールサーバ４ａ、４ｂは、インターネット上でショッピングモール（以下、「オンラインショッピングモール」と言う）を運営する運営会社が備えるサーバである。例えば、ショッピングモールサーバ４ａは、Ａ社が運営するオンラインショッピングモールを管理するサーバであり、ショッピングモールサーバ４ｂは、Ｂ社が運営するオンラインショッピングモールを管理するサーバである。
【００１９】
自社サイトを保有する小売業者は、このショッピングモールサーバ４ａ、４ｂ上に自社サイトをアップロードすることにより、オンラインショッピングモールに自社店舗を構えることができる。
【００２０】
出品管理装置２は、商品がオンラインショッピングモールにアップロードされたときからバイヤーが抱える商品の在庫数の変化や、卸売価格の変更を監視する。そして、商品の在庫数や卸売価格が変更された場合は、ショッピングモールサーバ４ａ、４ｂにアクセスすることにより、小売業者が掲載している全てのショッピングモールサーバ４ａ、４ｂの自社サイトの在庫数や卸売価格、および小売業者の販売価格を変更することができる。
【００２１】
また、小売業者が粗利率を変更したい場合も、１つの操作で小売業者が掲載している全てのショッピングモールサーバ４ａ、４ｂの自社サイトの粗利率を変更することができる。
【００２２】
このように、バイヤーの情報の変更に連動して自社サイトの情報を変更することで、注文が入ったときの在庫切れを抑制することができる。また、顧客が商品を購入した後に、顧客に再度価格変更を説明する手間等を抑制することができる。
以下、開示の出品管理システムをより具体的に説明する。
【００２３】
図２は、実施の形態の出品管理装置のハードウェア構成を示す図である。
出品管理装置２は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００２４】
ＲＡＭ１０２は、出品管理装置２の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００２５】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００２６】
ハードディスクドライブ１０３は、内蔵したディスクに対して、磁気的にデータの書き込みおよび読み出しを行う。ハードディスクドライブ１０３は、出品管理装置２の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００２７】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００２８】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００２９】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００３０】
通信インタフェース１０７は、ネットワーク５０に接続されている。通信インタフェース１０７は、ネットワーク５０を介して、他のコンピュータまたは通信機器との間でデータを送受信する。
【００３１】
以上のようなハードウェア構成によって、本実施の形態の処理機能を実現することができる。なお、図２には出品管理装置２のハードウェア構成を示したが、他のコンピュータも同様のハードウェア構成である。
図２に示すようなハードウェア構成の出品管理装置２内には、以下のような機能が設けられる。
【００３２】
図３は、実施の形態の出品管理装置の機能を示すブロック図である。
出品管理装置２は、記憶部２１と、処理部２２とを有している。
記憶部２１には、情報がテーブル化されて記憶されている。具体的には、記憶部２１には、出品情報テーブルＴ１と、出品店舗マスターＴ２と、登録情報テーブルＴ３と、粗利率履歴テーブルＴ４とが記憶されている。
【００３３】
出品情報テーブルＴ１には、バイヤーが商品供給元端末装置５等を用いて作成した出品情報が格納される。出品情報は、商品それぞれについて固有の情報であり、バイヤーは、商品の数だけ出品情報を作成する。
【００３４】
出品店舗マスターＴ２には、オンラインショッピングモールと小売業者側のサイトとを関連づける情報が格納される。出品店舗マスターＴ２は、小売業者がそれぞれ登録し、小売業者毎に設けられる。
登録情報テーブルＴ３には、出品情報を用いて小売業者が作成した登録情報が格納される。
粗利率履歴テーブルＴ４には、小売業者が決定した商品毎の粗利率が格納される。
【００３５】
図４は、出品情報テーブルを説明する図である。
出品情報テーブルＴ１には、基本ＩＤ、商品名、卸売価格、送料、商品詳細、在庫数、画像データ、ＣＳＶデータの欄が設けられている。横方向に並べられた情報同士が互いに関連づけられている。
基本ＩＤの欄には、当該商品固有のＩＤが設定されている。
商品名の欄には、当該商品の商品名が設定されている。
卸売価格の欄には、卸売価格（税別）が設定されている。
送料の欄には、消費者が商品を購入した後に、消費者の元に商品を配送する送料（税込）が設定されている。
商品詳細の欄には、商品の詳しいスペックが設定されている。
在庫数の欄には、バイヤーが出品情報を出品管理装置２に送信した時点での出品情報に含まれる当該商品の在庫数が設定されている。
画像データの欄には、小売業者が選択した当該商品のサムネイル画像の画像データ、または画像データのリンクＵＲＬが設定されている。
ＣＳＶデータの欄には、当該商品をオンラインショッピングモールにアップロードする際に用いるＣＳＶデータが設定されている。
次に、出品店舗マスターの内容を説明する。
【００３６】
図５は、出品店舗マスターを説明する図である。
出品店舗マスターＴ２には、モールＩＤ、店舗ＩＤ、店舗名、送料、およびＦＴＰの欄が設けられている。横方向に並べられた情報同士が互いに関連づけられている。
【００３７】
モールＩＤの欄には、オンラインショッピングモールを識別するＩＤが設定されている。例えば、Ａ社が運営するオンラインショッピングモールは「０１」、Ｂ社が運営するオンラインショッピングモールは「０２」のようになっている。
【００３８】
店舗ＩＤの欄には、モールＩＤにより特定されるオンラインショッピングモールのサイトに現在登録されている自社サイトを識別する店舗ＩＤが設定されている。この店舗ＩＤは、オンラインショッピングモールに自社サイトを登録するときにオンラインショッピングモールの運営会社により配布されるＩＤである。
店舗名の欄には、小売業者が事前に登録した店舗名が設定される。
送料の欄には、小売業者が登録した送料が設定されている。
【００３９】
ＦＴＰの欄には、店舗ＩＤにより特定されるサイトをモールＩＤにより特定されるオンラインショッピングモールにアップロードする際に用いるＦＴＰサーバにログインするユーザ名およびパスワードが設定されている。
なお、登録情報テーブルＴ３の詳細については、後述する。
処理部２２は、小売業者端末装置３からの要求に応じて、自社サイトに登録する商品を選択する登録画面を小売業者端末装置３に接続されたモニタに表示する。
図６は、登録画面を説明する図である。
登録画面３０には、商品検索部３１、店舗ＩＤ設定部３２、商品表示部３３、および登録ボタン３４が表示されている。
商品検索部３１は、小売業者が出品する商品を出品元から検索する際に使用する。
【００４０】
商品検索部３１には、大カテゴリをプルダウン形式で選択できる「カテゴリ１」、小カテゴリをプルダウン形式で選択できる「カテゴリ２」、商品をブランド名で検索できる「ブランド」、キーワードで検索できる「キーワード」、商品の価格で絞り込むことができる「価格で絞込」の項目が設けられている。小売業者が「カテゴリ１」等に情報を設定し、絞込ボタン３１ａを押下することにより、処理部２２が、商品検索部３１の設定条件にて出品情報テーブルＴ１から抽出した商品に関する情報の一覧を商品表示部３３に表示する。
【００４１】
店舗ＩＤ設定部３２には、小売業者が、自社サイトを識別する店舗ＩＤを選択できる「設定店舗（番号・店名）」選択タブ３２ａが表示されている。また、店舗ＩＤ設定部３２には、各商品の粗利率を一括して設定できる「粗利一括設定」が表示されている。小売業者は、粗利一括設定の欄に粗利率を設定し、設定実行ボタン３２ｂを押下することにより、商品表示部３３に表示される商品の全ての粗利率が、粗利一括設定の欄に設定された粗利率に設定される。
【００４２】
商品表示部３３に表示される商品は、それぞれ基本ＩＤ、商品詳細、商品名、登録受付、アップロード日、掲載対象在庫、卸売価格（税別）、送料（税込）、上代、粗利率設定、実粗利率、および販売価格（税込）のパラメータをもっている。これらは、出品情報テーブルＴ１の各欄に設定されていたパラメータである。
【００４３】
粗利率設定や送料等の値は、小売業者が小売業者端末装置３を操作することにより変更することができる。例えば粗利率設定の変更にともない、処理部２２は、販売価格を変更する。
【００４４】
また、商品表示部３３には、サムネイル画像の選択ボタン３３ａが設けられている。バイヤーが当該商品の写真を複数用意している場合には、選択ボタン３３ａを押下することにより、小売業者は、自社サイトに表示する当該商品の写真を選択することができる。
また、商品表示部３３には、登録チェックボックス３３ｂおよび登録解除ボタン３３ｃが設けられている。
【００４５】
小売業者は、商品表示部３３に表示されている商品のうち、自社サイトに掲載を希望する商品の登録チェックボックス３３ｂをチェックし、登録ボタン３４を押下する。これにより、処理部２２は、登録チェックボックス３３ｂにチェックされた商品に関する出品情報を、店舗ＩＤ等とともに登録情報テーブルＴ３に格納する。
次に、登録情報テーブルＴ３の内容を説明する。
【００４６】
図７は、登録情報テーブルを説明する図である。
登録情報テーブルＴ３には、出品情報、粗利率、販売価格、店舗ＩＤ、およびアップロード時刻の欄が設けられている。横方向に並べられた情報同士が互いに関連づけられている。
出品情報の欄には、登録チェックボックス３３ｂにチェックされた商品に関する出品情報が格納されている。
粗利率の欄には、小売業者が登録画面３０にて設定した商品の粗利率が設定されている。
販売価格の欄には、小売業者が登録画面３０にて設定した商品の販売価格が設定されている。
店舗ＩＤの欄には、自社サイトを識別するＩＤが設定されている。
アップロード時刻の欄には、当該登録情報をオンラインショッピングモールにアップロードした時刻が設定されている。
次に、粗利率履歴テーブルＴ４の内容を説明する。
図８は、粗利率履歴テーブルＴ４の内容を説明する図である。
粗利率履歴テーブルＴ４には、基本ＩＤと粗利率の欄が設けられている。横方向に並べられた情報同士が互いに関連づけられている。
基本ＩＤの欄には、当該商品固有のＩＤが設定される。
粗利率の欄には、当該商品の粗利率が設定される。
【００４７】
ところで、小売業者は、一度決定した商品の送料や粗利率を変更する場合には、小売業者端末装置３から出品管理装置２にアクセスすることにより、処理部２２が登録画面３０を読み出す。そして、小売業者は、登録画面３０上で商品の送料や粗利率を変更し、再度、登録ボタン３４を押下する。これにより、処理部２２は、登録情報テーブルＴ３を参照し、該当する商品の送料や粗利率の欄を上書きする。このとき、粗利率履歴テーブルＴ４の内容は変更されない。これにより、変更後の粗利率は登録情報テーブルＴ３に設定され、変更前の粗利率は、粗利率履歴テーブルＴ４に残る。従って、登録情報テーブルＴ３に設定されている商品の粗利率と、粗利率履歴テーブルＴ４に設定されている商品の粗利率が異なる場合には、処理部２２は、小売業者により粗利率が変更されたと認識することができる。
【００４８】
ところで、登録ボタン３４が押下されると、処理部２２は、出品店舗マスターＴ２を参照する。そして、店舗ＩＤに関連づけられているモールＩＤのショッピングモールサーバ（ショッピングモールサーバ４ａ、４ｂの一方または両方）にアクセスし、当該ショッピングモールサーバ内の自社サイトに、チェックされた商品をアップロードする。以下、この処理部２２の処理を、フローチャートを用いて説明する。
図９は、処理部の処理を説明するフローチャートである。
【００４９】
［ステップＳ１］  処理部２２は、記憶部２１に出品情報が存在するか否かを判断する。出品情報が存在する場合（ステップＳ１のＹｅｓ）、ステップＳ２に遷移する。記憶部２１に出品情報が存在しない場合（ステップＳ１のＮｏ）、図９の処理を終了する。
【００５０】
［ステップＳ２］  処理部２２は、登録情報テーブルＴ３を参照し、ステップＳ１にて存在した出品情報を含む登録情報を抽出する。その後、ステップＳ３に遷移する。
【００５１】
［ステップＳ３］  処理部２２は、出品店舗マスターＴ２を参照する。そして、ステップＳ２にて抽出した登録情報に含まれる店舗ＩＤを備えるレコードのモールＩＤを抽出する。その後、ステップＳ４に遷移する。
【００５２】
［ステップＳ４］  処理部２２は、出品情報テーブルＴ１を参照し、ステップＳ２にて抽出した登録情報に含まれる基本ＩＤを含む出品情報の画像データ、ＣＳＶデータ、粗利率および販売価格を出力する。その後、ステップＳ５に遷移する。
【００５３】
［ステップＳ５］  処理部２２は、ステップＳ３にて抽出したモールＩＤを備えるレコードのＦＴＰの欄に設定されているユーザ名およびパスワードを用いて、当該モールＩＤのショッピングモールサーバにステップＳ４にて出力した画像データ、ＣＳＶデータ、粗利率および販売価格をアップロードする。その後、ステップＳ６に遷移する。
［ステップＳ６］  処理部２２は、登録情報テーブルＴ３を参照し、ステップＳ２にて抽出した登録情報のアップロード時刻の欄に、現在時刻を設定する。
以上で、図９の処理の説明を終了する。
次に、データ更新時の処理部２２の処理を説明する。
図１０は、データ更新時の処理を説明するフローチャートである。
【００５４】
［ステップＳ１１］  処理部２２は、前回、データ更新時の処理を実行してから所定時間（例えば３０分）が経過したか否かを判断する。所定時間が経過していない場合（ステップＳ１１のＮｏ）、所定時間の経過を待機する。所定時間が経過した場合（ステップＳ１１のＹｅｓ）、ステップＳ１２に遷移する。
【００５５】
［ステップＳ１２］  処理部２２は、登録情報テーブルＴ３を参照し、アップロード時刻の欄に何らかの時刻が入っている登録情報が存在するか否かを判断する。アップロード時刻の欄に何らかの時刻が入っている登録情報が存在する場合（ステップＳ１２のＹｅｓ）、ステップＳ１３に遷移する。アップロード時刻の欄に何らかの時刻が入っている登録情報が存在しない場合（ステップＳ１２のＮｏ）、ステップＳ１１に遷移する。
【００５６】
［ステップＳ１３］  処理部２２は、登録情報テーブルＴ３を参照し、アップロード時刻の欄に何らかの時刻が入っている登録情報のレコードを特定する。その後、ステップＳ１４に遷移する。
【００５７】
［ステップＳ１４］  処理部２２は、ステップＳ１３にて特定した全ての登録情報のレコードについて、ステップＳ１５〜Ｓ１８の処理を実行したか否かを判断する。ステップＳ１３にて特定した全ての登録情報のレコードについて、ステップＳ１５〜Ｓ１８の処理を実行した場合（ステップＳ１４のＹｅｓ）、図１０の処理を終了する。ステップＳ１３にて特定した全ての登録情報のレコードについて、ステップＳ１５〜Ｓ１８の処理を実行していないレコードが存在する場合（ステップＳ１４のＮｏ）、ステップＳ１５に遷移する。
［ステップＳ１５］  処理部２２は、ステップＳ１２にて特定したレコードのうち、未選択のレコードを１つ選択する。その後、ステップＳ１６に遷移する。
【００５８】
［ステップＳ１６］  処理部２２は、ステップＳ１５にて選択したレコードの登録情報に含まれる出品情報の商品の在庫数が更新されているか否かを判断する。具体的には、処理部２２は、出品情報テーブルＴ１を参照する。そして、登録情報に含まれる出品情報の在庫数と、出品情報テーブルＴ１に設定されている出品情報の在庫数が一致するか否かを判断する。在庫数が一致しなければ（ステップＳ１６のＮｏ）、ステップＳ１９に遷移する。在庫数が一致すれば（ステップＳ１６のＹｅｓ）、ステップＳ１７に遷移する。
【００５９】
［ステップＳ１７］  処理部２２は、ステップＳ１５にて選択したレコードの登録情報に含まれる出品情報の商品の卸売価格が更新されているか否かを判断する。具体的には、処理部２２は、出品情報テーブルＴ１を参照する。そして、登録情報に含まれる出品情報の卸売価格と、出品情報テーブルＴ１に設定されている出品情報の卸売価格が一致するか否かを判断する。卸売価格が一致しなければ（ステップＳ１７のＮｏ）、ステップＳ１９に遷移する。卸売価格が一致すれば（ステップＳ１７のＹｅｓ）、ステップＳ１８に遷移する。
【００６０】
［ステップＳ１８］  処理部２２は、ステップＳ１５にて選択したレコードの登録情報に含まれる出品情報の商品の粗利率が更新されているか否かを判断する。具体的には、処理部２２は、登録情報テーブルＴ３および粗利率履歴テーブルＴ４を参照する。そして、登録情報に含まれる粗利率と、粗利率履歴テーブルＴ４に設定されている当該商品の粗利率が一致するか否かを判断する。粗利率が一致しなければ（ステップＳ１８のＮｏ）、ステップＳ１９に遷移する。粗利率が一致すれば（ステップＳ１８のＹｅｓ）、ステップＳ１４に遷移する。
【００６１】
［ステップＳ１９〜Ｓ２２］  処理部２２は、ステップＳ１９〜ステップＳ２２の処理を実行する。なお、ステップＳ１９〜Ｓ２２の処理内容は、それぞれステップＳ３〜Ｓ６と同様であるため、詳しい説明を省略する。ステップＳ２２の処理が完了すると、ステップＳ２３に遷移する。
【００６２】
［ステップＳ２３］  処理部２２は、粗利率履歴テーブルＴ４の当該商品の粗利率を、最新の粗利率に書き替える。具体的には、処理部２２は、粗利率履歴テーブルＴ４の当該商品の基本ＩＤに対応する粗利率を、登録情報テーブルＴ３に記憶されている当該商品の基本ＩＤに対応する粗利率に一致させる。その後、ステップＳ１４に遷移する。
以上で図１０の説明を終了する。
【００６３】
以上述べたように、実施の形態の出品管理システム１によれば、在庫数、卸売価格、粗利率の変更があった場合でも、所定時間内に変更された情報が、オンラインショッピングモールに出店している全ての自社サイトで反映されるようにした。これにより、小売業者は、仕入れ価格と連動した価格設定ができる。これにより、一定の粗利益を確保することができる。また、最初に商品を選んで登録しておけば、在庫処理や売価の操作は、処理部２２が実行する。このため、商品掲載の手間、発送の手間を省き、大量の商品を販売することができる。
【００６４】
また、バイヤー側が登録・編集したデータはすぐに自社サイトに反映される。このため、例えばある商品に注文が入りバイヤーの在庫が０になった時点で、当該商品を掲載している自社サイトの当該商品の在庫数は、オンラインショッピングモールに出店している全ての自社サイトで０になる。従って、小売業者が自社サイトに商品を掲載した後の在庫チェックや仕入れ価格の変動による販売価格の変更の手間を省くことができる。
【００６５】
また、出品管理システム１によれば、バイヤー側にもメリットが得られる。具体的には、商品を前面に出し、出品企業を秘匿することができる。このため、シーズン毎の商品の入れ替えで一斉に在庫を処分する場合や、デッドストックとなった製品の在庫処分等、思い切った値下げをする場合でも他の卸先を気にすることなく価格を変更することができる。
なお、出品管理装置２が行った処理が、複数の装置によって分散処理されるようにしてもよい。
【００６６】
以上、本発明の出品管理装置、商品管理方法およびプログラムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【００６７】
なお、上記の処理機能は、コンピュータによって実現することができる。その場合、出品管理装置２が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００６８】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００６９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００７０】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００７１】
１  出品管理システム
２  出品管理装置
３  小売業者端末装置
４ａ、４ｂ  ショッピングモールサーバ
５  商品供給元端末装置
２１  記憶部
２２  処理部
３０  登録画面
Ｔ１  出品情報テーブル
Ｔ２  出品店舗マスター
Ｔ３  登録情報テーブル
Ｔ４  粗利率履歴テーブル
【図１】
2016212594.tif 000003
【図２】
2016212594.tif 000004
【図３】
2016212594.tif 000005
【図４】
2016212594.tif 000006
【図５】
2016212594.tif 000007
【図６】
2016212594.tif 000008
【図７】
2016212594.tif 000009
【図８】
2016212594.tif 000010
【図９】
2016212594.tif 000011
【図１０】
2016212594.tif 000012